(57)【要約】【課題】プラズマディスプレイパネルの非発光領域に入射する外光の反射を防止して、パネルに表示される画像のコントラストの向上を図る。【解決手段】前面ガラス基板１に複数の行電極対（Ｘ，Ｙ）と誘電体層２が設けられ、行電極対（Ｘ，Ｙ）と交差する位置の放電空間Ｓ内に放電セルＣを構成する複数の列電極Ｄが背面ガラス基板４側または前面ガラス基板１側に設けられ、列方向に隣接している放電セルＣの間が前面ガラス基板１と背面ガラス基板４の間に設けられた隔壁１６の横壁１６Ａによって区画され、放電空間Ｓ内の横壁１６Ａが形成されている非発光領域部分に、それぞれ、前面ガラス基板１側に面する黒色または暗色の光吸収層１０が形成されている。【選択図】　　　図４
2004127785.tif 000002
【特許請求の範囲】
【請求項１】
前面基板と背面基板が放電空間を介して互いに対向され、前面基板に行方向に延び列方向に並設されてそれぞれ表示ラインを構成する複数の行電極対とこの行電極対を被覆する誘電体層が設けられ、列方向に延び行方向に並設されて行電極対と交差する位置の放電空間内に単位発光領域を構成する複数の列電極が背面基板側または前面基板側に設けられ、列方向に隣接する単位発光領域の間が前面基板と背面基板の間に設けられた隔壁の行方向に延びる横壁によって区画されているプラズマディスプレイパネルにおいて、
前記放電空間内の列方向に隣接する単位発光領域の間の横壁が形成されている領域部分に、それぞれ、前面基板側に面する黒色または暗色の光吸収層が形成されていることを特徴とするプラズマディスプレイパネル。
【請求項２】
前記列方向に隣接する単位発光領域の間において、それぞれの単位発光領域を区画する横壁が隙間を挟んで対向されており、この隙間内に光吸収層が形成されている請求項１に記載のプラズマディスプレイパネル。
【請求項３】
前記光吸収層が、横壁の前面基板に対向する面に形成されている請求項１に記載のプラズマディスプレイパネル。
【請求項４】
前記隙間が、隔壁の列方向に延びる壁部によって各単位発光領域に対してそれぞれ列方向に隣接する区画部分に区画されており、この区画部分内にそれぞれ光吸収層が形成されている請求項２に記載のプラズマディスプレイパネル。
【請求項５】
前記横壁およびこの横壁に挟まれた隙間に対向する部分の誘電体層の背面側に、放電空間内に突出する黒色または暗色の嵩上げ部が形成されている請求項２に記載のプラズマディスプレイパネル。
【請求項６】
前記単位発光領域が画像を形成する発光を発生させる表示放電セルを構成し、この表示放電セルに対してそれぞれ列方向に隣接する隙間の区画部分が発光を行わせる表示放電セルを選択するための放電が行われるアドレス放電セルを構成し、対になっている表示放電セルおよびアドレス放電セルと列方向に隣接する他の対との間に位置する横壁に対向する部分の誘電体層の背面側に、放電空間内に突出する黒色または暗色の嵩上げ部が形成されている請求項２に記載のプラズマディスプレイパネル。
【請求項７】
前記アドレス放電セル内に形成された光吸収層に、２次電子放出係数が高い材料が含有されている請求項６に記載のプラズマディスプレイパネル。
【発明の詳細な説明】
【０００１】
【発明の属する技術分野】
この発明は、プラズマディスプレイパネルのセル構造に関する。
【０００２】
【従来の技術】
近年、大型でかつ薄型のカラー画面表示装置としてプラズマディスプレイパネル（ＰＤＰ）が注目を集めており、家庭等への普及が図られている。
【０００３】
図１ないし３は、従来のＰＤＰのセル構造を示している（特許文献１参照）。
【０００４】
図１はこの従来のＰＤＰのセル構図を模式的に示す平面図であり、図２は図１のＶＡ−ＶＡ線における断面図、図３は図１のＶＢ−ＶＢ線における断面図である。
【０００５】
この従来のＰＤＰは、表示面である前面ガラス基板１の背面に、それぞれ表示ラインＬを構成する複数の行電極対（Ｘ，Ｙ）が、前面ガラス基板１の行方向（図１の左右方向）に延びるように平行に配列されている。
【０００６】
行電極ＸおよびＹは、それぞれ、Ｔ字形状に形成されたＩＴＯ等の透明導電膜からなる透明電極Ｘａ，Ｙａと、前面ガラス基板１の行方向に延びて透明電極Ｘａ，Ｙａの狭小の基端部に接続された金属膜からなるバス電極Ｘｂ，Ｙｂによって構成されている。
【０００７】
この行電極ＸとＹは、前面ガラス基板１の列方向（図１の上下方向）に交互に配列されており、バス電極ＸｂとＹｂに沿って並列されたそれぞれの透明電極ＸａとＹａが、互いに対となる相手の行電極側に延びて、透明電極ＸａとＹａの幅広部の頂辺が、それぞれ所要の幅の放電ギャップｇを介して互いに対向されている。
【０００８】
バス電極Ｘｂ，Ｙｂは、それぞれ表示面側の黒色導電層Ｘｂ１，Ｙｂ１と背面側の主導電層Ｘｂ２，Ｙｂ２の二層構造に形成されている。
【０００９】
前面ガラス基板１の背面には、列方向において隣接する行電極対（Ｘ，Ｙ）のそれぞれの互いに背中合わせになったバス電極ＸｂとＹｂの間に、このバス電極Ｘｂ，Ｙｂに沿って行方向に延びる黒色または暗色の光吸収層ＢＳが形成されている。
【００１０】
前面ガラス基板１の背面には、さらに、行電極対（Ｘ，Ｙ）を被覆するように誘電体層２が形成されており、この誘電体層２の背面には、互いに隣接する行電極対（Ｘ，Ｙ）の隣り合うバス電極ＸｂおよびＹｂに対向する位置及び隣り合うバス電極Ｘｂとバス電極Ｙｂの間の領域と対向する位置に、誘電体層２の背面側に突出する嵩上げ誘電体層２Ａが、バス電極Ｘｂ，Ｙｂと平行に延びるように形成されている。
【００１１】
そして、この誘電体層２と嵩上げ誘電体層２Ａの背面側には、ＭｇＯからなる保護層３が形成されている。
【００１２】
一方、前面ガラス基板１と平行に配置された背面ガラス基板４の表示側の面上には、列電極Ｄが、各行電極対（Ｘ，Ｙ）の互いに対となった透明電極ＸａおよびＹａに対向する位置において行電極対（Ｘ，Ｙ）と直交する方向（列方向）に延びるように、互いに所定の間隔を開けて平行に配列されている。
【００１３】
背面ガラス基板４の表示側の面上には、さらに、列電極Ｄを被覆する白色の列電極保護層（誘電体層）５が形成され、この列電極保護層５上に、白色の隔壁６が形成されている。
【００１４】
隔壁６は、各行電極対（Ｘ，Ｙ）のバス電極ＸｂとＹｂにそれぞれ対向する位置において行方向に延びる一対の横壁６Ａと、この一対の横壁６Ａ間に架け渡された状態でそれぞれ各列電極Ｄの間の位置において列方向に延びる複数の縦壁６Ｂとによって、梯子形状に形成されている。
【００１５】
そして、この梯子形状の各隔壁６が、互いに列方向において隣接する隔壁６の横壁６Ａとの間に、光吸収層ＢＳに対向される隙間ＳＬを開けた状態で、それぞれ平行に配列されている。
【００１６】
この梯子形状の隔壁６によって、前面ガラス基板１と背面ガラス基板２の間の放電空間Ｓが、各行電極対（Ｘ，Ｙ）において対になった透明電極ＸａとＹａに対向する部分毎に区画されて、それぞれ方形の放電セルＣが形成されている。
【００１７】
各放電セルＣに面する隔壁６の横壁６Ａおよび縦壁６Ｂの側面と列電極保護層５の表面には、これらの五つの面を全て覆うように蛍光体層７が、それぞれ赤，緑，青の色が行方向に順に並ぶように形成されている。
【００１８】
放電空間Ｓ内には、放電ガスが封入されている。
【００１９】
この従来のＰＤＰにおける画像表示は、先ず、アドレス操作により、各放電セルＣにおいて行電極対（Ｘ，Ｙ）の一方の行電極と列電極Ｄとの間で選択的に放電が行われ、全表示ラインＬに発光セル（誘電体層２に壁電荷が形成された放電セルＣ）と非発光セル（誘電体層２に壁電荷が形成されていない放電セルＣ）とが、表示する画像に対応してパネル上に分布される。
【００２０】
そして、このアドレス操作の後、全表示ラインＬにおいて一斉に各行電極対（Ｘ，Ｙ）の行電極ＸとＹに対して交互に放電維持パルスが印加され、この放電維持パルスが印加される毎に各発光セル内において面放電が発生され、この面放電によって紫外線が発生されて、各発光セルＣ内の赤，緑，青に色分けされた蛍光体層７がそれぞれ励起されることにより発光して、表示する画像が形成される。
【００２１】
【特許文献１】
特開２０００−３１１６１２号公報
【００２２】
【発明が解決しようとする課題】
上記のような従来の構成のＰＤＰは、各バス電極Ｘｂ，Ｙｂに黒色導電層Ｘｂ１，Ｙｂ１が形成されているとともに、表示ラインＬ間において互いに背中合わせに位置するバス電極ＸｂとＹｂの間に黒色または暗色の光吸収層ＢＳが形成されていることによって、表示ラインＬ間に形成されるパネルの非発光領域に入射する外光の反射を防止して、パネル面に形成される画像のコントラストの向上を図るようになっている。
【００２３】
さらに、この従来のＰＤＰは、背面ガラス基板４側に形成される列電極保護層５および隔壁６を白色にすることによって、蛍光体層７から発光されて背面ガラス基板４側に向かう光を前面ガラス基板１側に反射し、これによって、光の利用効率を増加させて、パネル面に表示される画像の輝度を向上させるようになっている。
【００２４】
しかしながら、このような従来のＰＤＰのセル構造においては、パネル面の発光領域部分（放電セルＣが形成されている部分）から斜めに入射した外光が、行電極Ｘ，Ｙの黒色導電層Ｘｂ１，Ｙｂ１や光吸収層ＢＳによって遮られることなく非発光領域部分の隙間ＳＬ内に届いて、この隙間ＳＬに面している白色の列電極保護層５や隔壁６によって反射される虞があり、この非発光領域部分からの外光の反射光によって、パネル面に表示される画像のコントラストが低下するのを防止することが出来ない。
【００２５】
この発明は、上記のような従来のプラズマディスプレイパネルにおける問題点を解決することを目的としている。
【００２６】
【課題を解決するための手段】
この発明によるプラズマディスプレイパネルは、上記目的を達成するために、前面基板と背面基板が放電空間を介して互いに対向され、前面基板に行方向に延び列方向に並設されてそれぞれ表示ラインを構成する複数の行電極対とこの行電極対を被覆する誘電体層が設けられ、列方向に延び行方向に並設されて行電極対と交差する位置の放電空間内に単位発光領域を構成する複数の列電極が背面基板側または前面基板側に設けられ、列方向に隣接する単位発光領域の間が前面基板と背面基板の間に設けられた隔壁の行方向に延びる横壁によって区画されているプラズマディスプレイパネルにおいて、前記放電空間内の列方向に隣接する単位発光領域の間の横壁が形成されている領域部分に、それぞれ、前面基板側に面する黒色または暗色の光吸収層が形成されていることを特徴としている。
【００２７】
【発明の実施の形態】
以下、この発明の最も好適と思われる実施の形態について、図面を参照しながら詳細に説明を行う。
【００２８】
図４および５は、この発明によるプラズマディスプレイパネル（ＰＤＰ）の実施形態における第１の例を示している。
図４はこの第１の例のＰＤＰにおける背面ガラス基板側の構成を示す平面図であり、図５は図４のＶ１−Ｖ１線における断面図である。
【００２９】
この図４および５において、隔壁は、図１ないし３の従来のＰＤＰの場合と同様に、互いに所要の間隔を開けて平行に配置されて行方向に延びる一対の横壁１６Ａとこの一対の横壁１６Ａ間に架け渡された状態で互いに所要の間隔を開けてそれぞれ列方向に延びる複数の縦壁１６Ｂとによって梯子形状に形成された隔壁１６が、互いに列方向において隣接する隔壁１６の横壁６Ａとの間に行方向に延びる隙間ＳＬ１を開けた状態で、それぞれ平行に配置されることによって構成されている。
【００３０】
なお、この図４および５において、図１ないし３の従来のＰＤＰと同一の構成部分については同一の符号が付されている。
【００３１】
また、図示されていない前面ガラス基板側の構成についても、図１ないし３のＰＤＰと同一の構成を有しており、行電極のバス電極に黒色導電層が形成され、列方向において互いに背中合わせに位置するバス電極間に光吸収層が形成されていることによって、互いに隣接する隔壁１６の背中合わせに位置する横壁１６Ａとこの横壁１６Ａ間の隙間ＳＬ１が位置している部分（非発光領域）が、前面ガラス基板側から見て、光吸収層によりカバーされている。
【００３２】
この列方向において隣接するそれぞれの隔壁１６の互いに背中合わせに位置する横壁１６Ａ間の隙間ＳＬ１内に、この隙間ＳＬ１に面している列電極保護層５と横壁１６Ａの部分を覆う黒色または暗色の光吸収層１０が形成されている。
【００３３】
このように、パネルの表示ライン間の非発光領域に位置している隙間ＳＬ１の内面が光吸収層１０によって全て覆われていることによって、パネルの発光領域部分から入射した光が隙間ＳＬ１内に到達したような場合であっても、この光が隙間ＳＬ１内において反射されてパネルの発光領域部分から出射されるのを防止することが出来る。
【００３４】
これによって、例えば隔壁１６や列電極保護層５が、パネルの発光領域における輝度を向上させるために白色の材料によって形成されるような場合であっても、パネル面に表示される画像のコントラストが、非発光領域部分からの外光の反射光によって損なわれるのを防止することが出来るようになる。
【００３５】
なお、上記の例において、横壁１６Ａの前面ガラス基板に対向する頂面にも、光吸収層を形成するようにすれば、この非発光領域部分に入射する外光の反射をほぼ完全に防止することが出来るようになるので、前面ガラス基板側への光吸収層（バス電極の黒色導電層やこのバス電極間に形成される光吸収層）の形成を省略することが出来るようになる。
【００３６】
図６および７は、この発明によるプラズマディスプレイパネル（ＰＤＰ）の実施形態における第２の例を示しており、図６はこの第２の例のＰＤＰにおける背面ガラス基板側の構成を示す平面図であり、図７は図６のＶ２−Ｖ２線における断面図である。
【００３７】
この第２の例のＰＤＰは、隔壁２６が、上記第１の例のＰＤＰの隔壁１６と同様に、行方向に延びる一対の横壁２６Ａとこの横壁２６Ａ間において互いに所要の間隔を開けて列方向に延びる複数の縦壁２６Ｂとによって構成され、それぞれの隔壁２６が、隣接する隔壁２６との間に隙間ＳＬ２を開けた状態で互いに列方向に平行に配列されている。
【００３８】
そして、各隔壁２６の縦壁２６Ｂが、隙間ＳＬ２内を列方向に横断する壁部２６Ｂａによってそれぞれ列方向において連続するように連結されており、この壁部２６Ｂａによって、隙間ＳＬ２が行方向において等間隔に区画されている。
【００３９】
他の部分の構成は、第１の例のＰＤＰと同様であり、同一の構成部分については、同一の符号が付されている。
【００４０】
この例においても、隙間ＳＬ２の壁部２６Ｂａによって仕切られた各区画部分ＳＬ２ａ内に、この区画部分ＳＬ２ａに面している列電極保護層５および横壁２６Ａ，壁部２６Ｂａの部分を覆う黒色または暗色の光吸収層２０が形成されている。
【００４１】
そして、この光吸収層２０によって、パネルの表示ライン間の非発光領域に位置している隙間ＳＬ２の区画部分ＳＬ２ａの内面が全て覆われていることによって、パネルの発光領域部分から入射した光が隙間ＳＬ２の区画部分ＳＬ２ａ内に到達したような場合であっても、この光が区画部分ＳＬ２ａ内において反射されてパネルの発光領域部分から出射されるのを防止することが出来る。
【００４２】
なお、この例において、横壁２６Ａおよび隙間ＳＬ２内を仕切る壁部２６Ｂａの前面ガラス基板に対向するそれぞれの頂面にも、光吸収層を形成することによって、この非発光領域部分に入射する外光の反射をほぼ完全に防止することが出来るようになり、これによって、前面ガラス基板側への光吸収層（バス電極の黒色導電層やこのバス電極間に形成される光吸収層）の形成を省略することが出来るようになる。
【００４３】
図８および９は、この発明によるプラズマディスプレイパネル（ＰＤＰ）の実施形態における第３の例を示しており、図８はこの第３の例のＰＤＰにおける背面ガラス基板側の構成を示す平面図であり、図９は図６のＶ３−Ｖ３線における断面図である。
【００４４】
この第３の例のＰＤＰは、隔壁３６が、隣接する表示ライン間において行方向に延びるそれぞれ一本の横壁３６Ａと、互いに所要の間隔を開けて列方向に延びる複数の縦壁３６Ｂとによって、井桁形状に形成されており、前述した第２および３の例のＰＤＰの場合と異なり、隣接する表示ライン間に隙間は形成されていない。
【００４５】
他の部分の構成は、第１の例のＰＤＰと同様であり、同一の構成部分については、同一の符号が付されている。
【００４６】
この例のＰＤＰは、横壁３６Ａの頂面３６Ａａに、行方向に延びる帯状の光吸収層３０が形成されている。
【００４７】
これによって、パネルの非発光領域において前面ガラス基板側に対向している横壁３６Ａの頂面３６Ａａが、光吸収層３０によって覆われるので、パネルの発光領域部分から入射した光が横壁３６Ａが位置する非発光領域部分に到達したような場合であっても、この光が横壁３６Ａによって反射されてパネルの発光領域部分から出射されるのを防止することが出来る。
【００４８】
そして、この光吸収層３０の形成によって、前面ガラス基板側への光吸収層（バス電極の黒色導電層やこのバス電極間に形成される光吸収層）の形成を省略することが出来るようになる。
【００４９】
図１０は、この発明によるプラズマディスプレイパネル（ＰＤＰ）の実施形態における第４の例を、第１の例の図５と同じ部分において断面して示す図である。
【００５０】
この第４の例のＰＤＰは、前面ガラス基板１側において行電極対（Ｘ，Ｙ）を被覆する誘電体層４２の背面側の互いに隣接する行電極対（Ｘ，Ｙ）の背中合わせに隣り合うバス電極ＸｂおよびＹｂに対向する位置およびこの隣り合うバス電極Ｘｂとバス電極Ｙｂの間の領域に対向する位置にバス電極Ｘｂ，Ｙｂと平行に延びるように形成されて、隔壁１６の互いに背中合わせに位置する横壁１６Ａとこの横壁１６Ａ間に挟まれた隙間ＳＬ１に対向される嵩上げ誘電体層４２Ａが、黒色または暗色の光吸収層によって構成されている。
【００５１】
他の部分の構成は、従来例および第１の例のＰＤＰと同様であり、同一の構成部分については、それぞれ同一の符号が付されている。
【００５２】
この例におけるＰＤＰは、第１の例のＰＤＰが有する技術的効果に加えて、隔壁１６の互いに背中合わせに位置している二本の横壁１６Ａとこの横壁１６Ａ間に挟まれた隙間ＳＬ１とに対向する位置に形成されてこれらが位置する隣接する表示ライン間の非発光領域部分を覆う嵩上げ誘電体層４２Ａが、光吸収層によって構成されていることにより、このパネルの非発光領域部分に入射する外光が反射されるのをより完全に防止することが出来るようになる。
【００５３】
図１１は、この発明によるプラズマディスプレイパネル（ＰＤＰ）の実施形態における第５の例を、第２の例の図７と同じ部分において断面して示す図である。
【００５４】
この第５の例のＰＤＰの隔壁２６は、第２の例と同様の構成を有していて、隣接する表示ライン間において横壁２６Ａ間に挟まれた隙間が列方向に延びる縦壁２６Ｂの壁部２６Ｂａによって等間隔に区画されている。
【００５５】
この例のＰＤＰは、この隙間の壁部２６Ｂａによって区画された各空間Ｃ２と、各行電極対（Ｘ，Ｙ）の対になった透明電極ＸａとＹａに対向する位置に形成された放電セルＣ１とが、互いに列方向において隣接するもの同士対になっていて、それぞれ、放電セルＣ１が、維持発光放電が行われる表示放電セルを構成し、空間Ｃ２が、アドレス放電が行われるアドレス放電セルを構成している。
【００５６】
横壁２６Ａ間の隙間内の区画された空間（アドレス放電セル）Ｃ２の列方向において両側に位置する横壁２６Ａのうちの一方の横壁２６Ａに対向する位置に、行方向（図１１の紙面と直角方向）に帯状に延びるとともに行電極対（Ｘ，Ｙ）を被覆している誘電体層５２から横壁２６Ａ側に突出して横壁２６Ａに当接される嵩上げ誘電体層５２Ａが、それぞれ、形成されている。
【００５７】
これによって、表示放電セルＣ１とアドレス放電セルＣ２の対とそれぞれ列方向に隣接している他の対との間が、嵩上げ誘電体層５２Ａによって閉じられている。
【００５８】
そして、この嵩上げ誘電体層１２Ａが、黒色または暗色の光吸収層によって形成されている。
【００５９】
他の部分の構成は、第２の例のＰＤＰと同様であり、同一の構成部分については、同一の符号が付されている。
【００６０】
この例においても、アドレス放電セルＣ２内に光吸収層２０が形成されていることによって、このアドレス放電セルＣ２内に入射してくる外光の反射が防止され、さらに、嵩上げ誘電体層５２Ａが黒色または暗色の光吸収層によって形成されていることによって、このアドレス放電セルＣ２が位置しているパネルの非発光領域部分に入射してくる外光の反射をより完全に防止することが出来る。
【００６１】
なお、この例において、アドレス放電セルＣ２内に形成される光吸収層２０に二次電子放出係数が高い材料、すなわち、仕事関数が低い高γ材料を含有させるようにしても良い。
【００６２】
これによって、この光吸収層２０によってアドレス放電セルＣ２内に入射される外光の反射が防止されるとともに、この光吸収層２０に含有されている高い二次電子放出係数を有する材料によって、このアドレス放電セルＣ２内において行電極と列電極間で発生されるアドレス放電の放電開始電圧を低減させることが出来るようになる。
【００６３】
このような高い二次電子放出係数を有する材料としては、仕事関数が４．２Ｖ以下の材料、例えば、アルカリ金属の酸化物（例えば、Ｃｓ２Ｏ：仕事関数２．３ｅＶ）やアルカリ土類金属の酸化物（例えば、ＣａＯ，ＳｒＯ，ＢａＯ），弗化物（例えば、ＣａＦ２，ＭｇＦ２），結晶欠陥や不純物などによって結晶内に不純物順位を導入して２次電子放出係数を高めた材料（例えば、ＭｇＯｘのようにＭｇ：Ｏの組成比を１：１から変えて結晶欠陥を導入したもの），ＴｉＯ２，Ｙ２Ｏ３などが挙げられる。
【００６４】
上記の各例においては、列電極が背面ガラス基板側に設けられている構成のＰＤＰについて説明を行ったが、この発明は、前面基板側に行電極対と列電極とを互いに離間した状態で交差する方向に設ける構成のＰＤＰについても適用することが出来る。
【００６５】
上記各例におけるＰＤＰは、前面基板と背面基板が放電空間を介して互いに対向され、前面基板に行方向に延び列方向に並設されてそれぞれ表示ラインを構成する複数の行電極対とこの行電極対を被覆する誘電体層が設けられ、列方向に延び行方向に並設されて行電極対と交差する位置の放電空間内に単位発光領域を構成する複数の列電極が背面基板側または前面基板側に設けられ、列方向に隣接する単位発光領域の間が前面基板と背面基板の間に設けられた隔壁の行方向に延びる横壁によって区画されているプラズマディスプレイパネルにおいて、前記放電空間内の列方向に隣接する単位発光領域の間の横壁が形成されている領域部分に、それぞれ、前面基板側に面する黒色または暗色の光吸収層が形成されているＰＤＰをその上位概念の実施形態とするものである。
【００６６】
この上位概念を構成する実施形態のＰＤＰは、行電極対と列電極が交差する位置の放電空間にそれぞれ単位発光領域が形成され、この列方向に隣接している単位発光領域の間が、放電空間内に設けられた隔壁の行方向に延びる横壁によって区画されている。
【００６７】
そして、この列方向に隣接する単位発光領域間の横壁が設けられているパネルの非発光領域部分に、黒色または暗色の光吸収層が前面基板側に面する方向に向けて形成されている。
【００６８】
例えば、この光吸収層は、列方向に隣接する単位発光領域の間において、それぞれの単位発光領域を区画する横壁の間に形成された隙間内に形成されたり、または、横壁の前面基板に対向する面に形成される。
【００６９】
この実施形態によるＰＤＰは、上記のような構成を有することによって、パネルの表示ライン間の非発光領域部分に外光が入射しても、この光が放電空間の非発光領域部分に前面基板側に面する方向に向けて形成されている光吸収層に吸収されて、前面基板側に反射されるのが防止される。
【００７０】
これによって、例えば隔壁や背面基板側の構成部分がパネルの発光領域における輝度を向上させるために白色の材料によって形成されるような場合であっても、パネル面に表示される画像のコントラストが、非発光領域部分からの外光の反射光によって損なわれるのを防止することが出来るようになる。
【図面の簡単な説明】
【図１】従来のＰＤＰの構成を模式的に示す平面図である。
【図２】図１のＶＡ−ＶＡ線における断面図である。
【図３】図１のＶＢ−ＶＢ線における断面図である。
【図４】この発明の第１の例を模式的に示す平面図である。
【図５】図４のＶ１−Ｖ１線における断面図である。
【図６】この発明の第２の例を模式的に示す平面図である。
【図７】図６のＶ２−Ｖ２線における断面図である。
【図８】この発明の第３の例を模式的に示す平面図である。
【図９】図８のＶ３−Ｖ３線における断面図である。
【図１０】この発明の第４の例を模式的に示す断面図である。
【図１１】この発明の第５の例を模式的に示す断面図である。
【符号の説明】
１　　　　　　　…前面ガラス基板（前面基板）
２　　　　　　　…誘電体層
３　　　　　　　…保護層
４　　　　　　　…背面ガラス基板（背面基板）
５　　　　　　　…列電極保護層
７　　　　　　　…蛍光体層
１０　　　　　　…光吸収層
１６　　　　　　…隔壁
１６Ａ　　　　　…横壁
１６Ｂ　　　　　…縦壁
ＳＬ１　　　　　…隙間
２０　　　　　　…光吸収層
２６　　　　　　…隔壁
２６Ａ　　　　　…横壁
２６Ｂ　　　　　…縦壁
２６Ｂａ　　　　…壁部
ＳＬ１　　　　　…隙間
ＳＬ２ａ　　　　…区画部分
３０　　　　　　…光吸収層
３６Ａ　　　　　…横壁
３６Ａａ　　　　…頂面
３６Ｂ　　　　　…縦壁
４２，５２　　　…誘電体層
４２Ａ，５２Ａ　…嵩上げ誘電体層
Ｃ　　　　　　　…放電セル（単位発光領域）
Ｃ１　　　　　　…表示放電セル
Ｃ２　　　　　　…アドレス放電セル
Ｘ，Ｙ　　　　　…行電極
Ｄ　　　　　　　…列電極
Ｓ　　　　　　　…放電空間
Ｌ　　　　　　　…表示ライン
【図１】
2004127785.tif 000003
【図２】
2004127785.tif 000004
【図３】
2004127785.tif 000005
【図４】
2004127785.tif 000006
【図５】
2004127785.tif 000007
【図６】
2004127785.tif 000008
【図７】
2004127785.tif 000009
【図８】
2004127785.tif 000010
【図９】
2004127785.tif 000011
【図１０】
2004127785.tif 000012
【図１１】
2004127785.tif 000013